(57)【要約】      （修正有）【課題】家をいつも新鮮な空気で快適な温度を保てられるようにするセントラル空調システムの構築。【解決手段】壁の中に丁度納まる熱交換器と吸気ポンプ及び各室に配るパイプとコネクター、吸排出口の構成で成り立つ壁内設置、熱交換型、全室、定量換気装置。在来木造工法の柱、間柱間に丁度納まるオイルヒーターを横にした様な形の暖房器と冷房器。上記の壁内設置型熱交換式定量換気装置の機能を拡張して冷暖房能力を持たせる。全体を二つの扉を開ける事によってメンテナンス出来、ほとんどの部品を交換可能にする様な工夫をする。【選択図】図１
2011133179.tif 000002
【特許請求の範囲】
【請求項１】
壁の中に丁度納まる熱交換器と吸気ポンプ及び各室に配るパイプとコネクター、吸排出口の構成で成り立つ壁内設置、熱交換型、全室、定量換気装置。
【請求項２】
在来木造工法の柱、間柱間に丁度納まるオイルヒーターを横にした様な形の暖房器と冷房器。請求項１の壁内設置型熱交換式定量換気装置の機能を拡張して冷暖房能力を持たせます。
【請求項３】
請求項２のオイルヒーター内を、不凍液を循環させる為の動力も請求項１の吸気ポンプと同様の形状の小型のポンプとする事によって安定した動力源とする事が出来ます。
【請求項４】
請求項２の暖房器の中の液体を熱放射板壁や床暖等のその他の暖房器にも巡らせることにより熱消化率を高め、より、エネルギー効率を良くし、暖房能力および冷房能力を高めます。
【請求項５】
地下を巡らせた冷却パイプにより、上記暖房器（請求項２のオイルヒーター、請求項４の床暖、熱放射板壁）を冷却器に変える。夜、止めて冷やし、昼の暑い時に回して冷房とする。地熱利用型冷房装置。
【請求項６】
これら全体の構成で完成する壁内設置型セントラル空調機器。全体を二つの扉を開ける事によってメンテナンス出来てほとんどの部品を交換可能に出来る様な工夫をしたもの。
【発明の詳細な説明】
【技術分野】
【０００１】
本発明は、住宅の設備に関するものである。
【背景技術】
【０００２】
在来木造工法。及び２×４又は２×６工法、更に２×ミックス工法等。その他、軸組もしくはプレハブ工法等を含む新手の木造建築工法。
充填断熱（内断熱）、及び外張断熱（外断熱）等の木造住宅の断熱方法。
【０００３】
各種全室換気設備。
【０００４】
各種冷暖房装置、設備。
【０００５】
各種セントラル空調システム。
【発明の概要】
【発明が解決しようとする課題】
【０００６】
現在の家は、すき間風も少ないために、暖房（特にファンヒーターなど）をすると、暑くなり過ぎたり、空気が汚れたり、不快さがこもったりして、定期的に換気をしないと家を丁度いい温度と新鮮な空気で維持するのは、手間でした。又、従来型セントラルヒーティングの施工だと、構造・配管等が複雑で、施工及びメンテナンスが難しく、高価なものでした、更に、従来型の全室換気システムの場合は熱損失が大きく、更に又、古い家はすき間風が多いなどのために冷暖房するのにたくさんのエネルギーが必要でした。
現在は、住宅の高断熱高気密化が重視され進んできているために確かに冷暖房エネルギーは少なくて済むようになりました。が、むしろその弊害としてまめに換気をしないと空気がこもり、息がつまるような不快さが増加してきました。（大変不快な温室効果も大きく感じられるようになりました。）そして現在、家の換気性能が義務付けられております。が、現在の換気システムではエネルギー損失の面では疑問であったり、更に他のものは構造・配管等の複雑さが難点であったり、高価、簡単に掃除等のメンテナンスが出来なかったりしました。
【課題を解決するための手段】
【０００７】
図１の様な、柱・間柱間にぴったり収まる熱交換器、定量的・確実かつ静かに空気を送り出すポンプ、及び高断熱化されたパイプ（内部パイプの交換が可能）、更にスライド吸排出口（各部屋の設定・微調整が可能）によって各室の空気の入れ換えを行う。エネルギーを出来る限り損失せずに換気を行い、家の快適さを増す効果が大きく、施工し易く安価、壁に収まり場所を取らない、メンテナンスが比較的楽、末長い使用に耐えられるといった特長のある新型換気装置です。家を常に快適な温度と新鮮な空気で維持出来る、家の体積に応じた換気速度を調整し見つけられます。すき間風にむしろ家を心地よくするような意外と重要な効果があったのです。それを、なるべく熱を無駄にしない形で作り出せます。更に、吸気を床下から行うようにすると、夏はちょっとしたクーラー、冬は間接的に少し温まった空気を取り入れる効果も果たします。夏の縁の下結露緩和、冬の室内結露緩和の効果も期待出来ます。
上記、熱交換式定量換気装置は、定量的な換気だけの装置だった。だがこれの機能を拡張することによって、急速な冷暖房は出来ないが、冷暖房を維持したり、ゆっくりとならば家全体を快適な温度に冷暖房したりする事が出来る。在来木造工法の柱、間柱間に丁度納まる冷暖房器（図２参照）であり、暖房器及び冷房器はオイルヒーターを横にした様な形で交互に穴を開け、熱交換器より送られた［吸気］がジグザグに昇りながら暖められ、又は、冷やされ、コネクター及び断熱パイプ、スライド吸排出口を通して各室へ配られ、［排気］も同様にスライド吸排出口、断熱パイプ及びコネクターを通して熱交換器へ戻されます。
特徴としては空気を循環させるのにポンプを用いる事によって、強い力で一定量の空気を安定して循環させることが可能になり、それによって熱交換器及び冷暖房器などの狭い所、又、細長いパイプなども目的の換気量での安定した換気が可能になります。これらのことにより、従来のものより熱交換能力を格段に高められます。又、全体を大きな二つの扉を開ける事によって、メンテナンス及び掃除等が出来る事も挙げられます。又、さらに、スライド吸排出口により各室おのおのの設定及び調節が出来る事も挙げられます。
改善点としては私の知らない事諸々あります、冷房の時、気化熱によって温度を下げる最も適した熱移動器の形状とか、ポンプの消費電力が大きくなり過ぎないかなどです。
上記、壁内設置型セントラル空調機器の暖房器の中を循環させる液体を床暖や熱放射板壁等その他の暖房器にも巡らせることにより熱消化率を高め、より、エネルギー効率を良くし、暖房能力を高める事が出来ます。
更に、又、夏期には地下を巡らせて冷やした液体を、上記の暖房器と床暖と熱放射板壁に通して、今度は反対に冷房器に変える事も考えられ、この事は殊の外重要です。冷却パイプを通常、布基礎の内側の地下に巡らせて埋設（布基礎内の土面下50cm位の深さに）する事と致します。夜、止めて冷やし、昼の暑い時に回して冷房とします。このパイプは二百年耐用出来るものを開発したいものです。冷却パイプに関しては更なる研究開発が必要です。
これらの事により、より冷暖房能力、及びエネルギー効率を相当に高められました。
スイッチ系統はオートマチック運転とマニュアル運転を切替える事を可能にし、図３の様なものにし、操作性を高め、融通が利く様にする。でも、マニュアル操作であっても無駄な設定は受け付けないようにします。例えば風量を０にすれば、冷暖房能力も切りになる。風量を少なくすれば、冷暖房能力も小さくなるようにします。又、モニターを図の様にし、運転状態が一目で確認できるようにします。
※上記暖房器内及び上記地下管内の不凍液を循環させるポンプもの吸気ポンプと同様な形状の小型のポンプにします。
※給排気ホースは引っ張り抜けるようにします。いくら抗菌処理をしてフィルターで防いでも年数が経てば、交換可能にします。
※ほとんどの部品を交換可能に出来る様な工夫を致します。
【発明の効果】
【０００８】
家をいつも新鮮な空気で快適な温度を保てられるようにする、住宅の居住性を増す作用。又、末長く住宅の性能を高い状態で維持できる、住宅価値を高める製品であります。特長として扉を開けることによってほぼ全体をメンテナンス（掃除等）出来る、場所を余り取らない、施工が比較的容易、空気を送るのにポンプを使うことによって狭い所も安定して目的の換気量で循環させることが出来るようになり、従来のものより格段に熱交換能力を高められる、スライド吸排出口により各室おのおのの設定及び微調節が出来る、ほとんどの部品が交換可能であり、末永い使用に耐えられる等が挙げられ、全室換気と同時に全室冷暖房ができる新しいタイプのセントラル冷暖房機です。この、換気冷暖房装置は在来木造軸組工法の建物には、ほぼ間違いなく比較的容易に施工することができるばかりでなく、場所も余りとることなく壁に収まります。又、構造が単純で簡単なだけに、施工が容易で、低価格なセントラル空調システムとなります。住宅の快適さ、環境への優しさ、エネルギー効率の良さ、施工も簡単で低価格、長い目で見ても経済的であり丈夫、様々な点で適応性に優れています。当考案のものは構造が単純で簡単なので、建築大工、及び一般設備屋、及び一般電気屋がうまく協力して専門業者でなくても容易に施工することが出来るので、一般に普及すると相当低価格なものになります。又、壁の中に納まり、メンテナンスが楽であり、エネルギー効率が良く、電気代灯油代などの光熱費を節約することが出来て経済的であり、環境に優しく、住居の住み心地、快適さをよくする効果が大きく、末永い使用に耐えられ、住宅価値を格段に高めます。
さまざまな住宅設計に対応でき、壁掛・据置各タイプ灯油ボイラー、灯油床暖機能付ストーブ、蓄熱型電気温水器等との組み合わせも自由です。
【図面の簡単な説明】
【０００９】
【図１】図１は、壁内設置型熱交換式定量換気装置を簡明に現した要約図である。
【図２】図２は、壁内設置型冷暖房器を現した図と、改良したスライド吸排出口の図である。
【図３】図３は、スイッチ系統及び運転状態が一目で確認できるモニターを現した図である。
【発明を実施するための形態】
【００１０】
（各種木造軸組工法の構造は堅持する。その上で、）長年の耐用により、検証された材料を用い、木造住宅の性能価値を格段に向上させる組合せによる、施工可能な形での付加。
【実施例１】
【００１１】
住宅全体のセントラル空調システムの施工。
【産業上の利用可能性】
【００１２】
各種建築工法による建物の設備の建設現場、各種建築工法用空調設備の工場生産。省エネ、長寿命、快適、自然順応型パッシブエネルギー住宅を実現します。
【符号の説明】
【００１３】
１    熱交換器
２    吸気ポンプ
３    各室に配るパイプ
４    コネクター
５    吸排出口
【図１】
2011133179.tif 000003
【図２】
2011133179.tif 000004
【図３】
2011133179.tif 000005